(57)【要約】【課題】利便性を向上する。【解決手段】情報処理装置は、主画面を表示する第１表示部と、第１表示部の表示が視認不可能な状態において、視認可能、且つ表示可能な第２表示部、及び第２表示部に対する操作媒体によるタッチ操作を検出する検出部を有するタッチスクリーンと、第１表示部の表示が視認不可能な状態で、第２表示部にインデックス情報を表示させ、タッチ操作を検出し、第１表示部の表示を視認可能な状態にする操作が実行された場合に、第２表示部のタッチ操作がされたタッチ操作領域に応じた画面を主画面に表示させるように第１表示部の表示を起動させる起動制御部と、を備える。【選択図】図３
2020061086.tif 000002
【特許請求の範囲】
【請求項１】
主画面を表示する第１表示部と、
前記第１表示部の表示が視認不可能な状態において、視認可能、且つ表示可能な第２表示部、及び前記第２表示部に対する操作媒体によるタッチ操作を検出する検出部を有するタッチスクリーンと、
前記第１表示部の表示が視認不可能な状態で、前記第２表示部にインデックス情報を表示させ、前記タッチ操作を検出し、前記第１表示部の表示を視認可能な状態にする操作が実行された場合に、前記第２表示部の前記タッチ操作がされたタッチ操作領域に応じた画面を前記主画面に表示させるように前記第１表示部の表示を起動させる起動制御部と、
を備える情報処理装置。
【請求項２】
前記第１表示部を備える第１筐体と、
前記第１筐体の一端側に設けられたヒンジを介して回動可能に接続された第２筐体と、
を備え、
前記第１表示部の表示面が前記第２筐体に面するように前記第１筐体と前記第２筐体とが重なり合った、前記第１表示部の表示が視認不可能な状態から、前記第１表示部の表示が視認可能な状態となるように、前記第１筐体と前記第２筐体とが相対的に回動操作される際に、ユーザによる回動操作を受ける前記第１筐体と前記第２筐体とのいずれか一方の筐体と異なる他方の筐体の端部に前記タッチスクリーンが備えられている
請求項１に記載の情報処理装置。
【請求項３】
前記第１表示部を備える第１筐体と、
前記第１筐体の一端側に設けられたヒンジを介して回動可能に接続された第２筐体と、
を備え、
前記第１表示部の表示面が前記第２筐体に面するように前記第１筐体と前記第２筐体とが重なり合った、前記第１表示部の表示が視認不可能な状態から、前記第１表示部の表示が視認可能な状態となるように、前記第１筐体と前記第２筐体とが相対的に回動操作される際に、ユーザによる回動操作を受ける前記第１筐体と前記第２筐体とのいずれか一方の筐体の端部に前記タッチスクリーンが備えられている
請求項１に記載の情報処理装置。
【請求項４】
前記タッチスクリーンが備えられる前記端部は、第１筐体と前記第２筐体とが回動する回転軸方向と垂直な方向を向く端面である
請求項２又は請求項３に記載の情報処理装置。
【請求項５】
前記タッチスクリーンが備えられる前記端部は、第１筐体と前記第２筐体とが回動する回転軸方向と平行な方向を向く端面である
請求項２又は請求項３に記載の情報処理装置。
【請求項６】
前記タッチスクリーンが備えられる前記端部は、前記第１筐体のうち、前記第１表示部の表示面が形成された面と反対側の面における、前記ヒンジが設けられた一端側とは反対側の端部である
請求項２又は請求項３に記載の情報処理装置。
【請求項７】
前記起動制御部は、
前記インデックス情報として少なくとも第１のインデックス情報と第２のインデックス情報とを有する複数のインデックス情報を表示させ、
前記タッチ操作領域が、前記第１のインデックス情報に対応する領域である場合に、前記第１表示部の表示が視認不可能な状態にされる前に起動中のアプリケーションの表示を最小化したデスクトップ画面を表示するように前記第１表示部の表示を起動させ、
前記タッチ操作領域が、前記第２のインデックス情報に対応する領域である場合に、前記第１表示部の表示が視認不可能な状態にされる前に起動中のアプリケーションの表示画面を表示するように前記第１表示部の表示を起動させる
請求項１から請求項６のいずれか一項に記載の情報処理装置。
【請求項８】
前記インデックス情報に対応するアプリケーションを記憶する記憶部を備え、
前記起動制御部は、
前記タッチ操作領域が前記インデックス情報に対応した領域であった場合に、前記第１表示部の表示が視認不可能な状態にされる前に起動中のアプリケーションのうち、前記インデックス情報に対応するアプリケーション以外を最小化して、前記第１表示部の表示を起動させる
請求項１から請求項７のいずれか一項に記載の情報処理装置。
【請求項９】
前記起動制御部は、
前記インデックス情報として、少なくともユーザに通知する所定のイベントが発生したこと示す通知情報を表示させ、
前記タッチ操作領域が前記通知情報に対応した領域であった場合に、前記通知情報に関するアプリケーションの表示画面を表示するように前記第１表示部の表示を起動させる
請求項１から請求項８のいずれか一項に記載の情報処理装置。
【請求項１０】
前記起動制御部は、
前記インデックス情報としてアプリケーションを示す情報を表示させ、
前記タッチ操作領域が前記アプリケーションを示す情報に対応した領域であった場合に、前記アプリケーションの表示画面を表示するように前記第１表示部の表示を起動させる
請求項１から請求項９のいずれか一項に記載の情報処理装置。
【請求項１１】
前記第１表示部と、前記第２表示部とは、１つの表示装置の異なる表示領域である
請求項１から請求項１０のいずれか一項に記載の情報処理装置。
【請求項１２】
主画面を表示する第１表示部を備える第１筐体と、
前記第１筐体の一端側に設けられたヒンジを介して回動可能に接続された第２筐体と、
前記第１表示部の表示面が前記第２筐体に面するように前記第１筐体と前記第２筐体が重なり合った、前記第１表示部の表示が視認不可能な状態において、視認可能且つ表示可能な第２表示部、及び前記第２表示部に対する操作媒体によるタッチ操作を検出する検出部を有するタッチスクリーンと、を備え、
前記第１筐体と前記第２筐体のいずれか一方の前記ヒンジが設けられた一端側とは反対側の端部に前記タッチスクリーンが備えられている情報処理装置。
【請求項１３】
前記タッチスクリーンが備えられる前記端部は、第１筐体と前記第２筐体とが回動する回転軸方向と垂直な方向を向く端面である
請求項１２に記載の情報処理装置。
【請求項１４】
前記タッチスクリーンが備えられる前記端部は、第１筐体と前記第２筐体とが回動する回転軸方向と平行な方向を向く端面である
請求項１２に記載の情報処理装置。
【請求項１５】
前記タッチスクリーンが備えられる前記端部は、前記第１筐体のうち、前記第１表示部の表示面が形成された面と反対側の面における端部である
請求項１２に記載の情報処理装置。
【請求項１６】
主画面を表示する第１表示部と、前記第１表示部の表示が視認不可能な状態において、視認可能、且つ表示可能な第２表示部、及び前記第２表示部に対する操作媒体によるタッチ操作を検出する検出部を有するタッチスクリーンと、を備える情報処理装置の制御方法であって、
前記第２表示部が、前記第１表示部の表示が視認不可能な状態で、インデックス情報を表示する表示ステップと、
起動制御部が、前記タッチ操作を検出し、前記第１表示部の表示を視認可能な状態にする操作が実行された場合に、前記第２表示部の前記タッチ操作がされたタッチ操作領域に応じた画面を前記主画面に表示させるように前記第１表示部の表示を起動させる起動制御ステップと、
を含む制御方法。
【請求項１７】
主画面を表示する第１表示部と、前記第１表示部の表示が視認不可能な状態において、視認可能、且つ表示可能な第２表示部、及び前記第２表示部に対する操作媒体によるタッチ操作を検出する検出部を有するタッチスクリーンと、を備える情報処理装置のコンピュータに、
前記第１表示部の表示が視認不可能な状態で、前記第２表示部にインデックス情報を表示させる表示ステップと、
前記タッチ操作を検出し、前記第１表示部の表示を視認可能な状態にする操作が実行された場合に、前記第２表示部の前記タッチ操作がされたタッチ操作領域に応じた画面を前記主画面に表示させるように前記第１表示部の表示を起動させる起動制御ステップと、
を実行させるためのプログラム。
【発明の詳細な説明】
【技術分野】
【０００１】
本発明は、情報処理装置、制御方法、及びプログラムに関する。
【背景技術】
【０００２】
近年、ノートＰＣ（Personal Computer）などの情報処理装置では、例えば、Ｗｉｎｄｏｗｓ１０（Ｗｉｎｄｏｗｓは登録商標）のモダンスタンバイなどの低消費電力モードにおいて、表示の停止を行っている。
【先行技術文献】
【特許文献】
【０００３】
【特許文献１】特開２０１１−１４１６０７号公報
【発明の概要】
【発明が解決しようとする課題】
【０００４】
しかしながら、従来の情報処理装置では、上述のような低消費電力モードから通常動作状態に復帰する際に、表示を停止する直前の表示画面を表示して通常動作状態に復帰していた。そのため、従来の情報処理装置では、例えば、表示を停止する直前に、プライベートの用途に使用していた場合に、ビジネスの用途で通常動作状態に復帰させると、プライベートの用途で使用していた表示画面が表示されることがあり、利便性が損なわれる可能性があった。
【０００５】
本発明は、上記問題を解決すべくなされたもので、その目的は、利便性を向上させることができる情報処理装置、制御方法、及びプログラムを提供することにある。
【課題を解決するための手段】
【０００６】
上記問題を解決するために、本発明の一態様は、主画面を表示する第１表示部と、前記第１表示部の表示が視認不可能な状態において、視認可能、且つ表示可能な第２表示部、及び前記第２表示部に対する操作媒体によるタッチ操作を検出する検出部を有するタッチスクリーンと、前記第１表示部の表示が視認不可能な状態で、前記第２表示部にインデックス情報を表示させ、前記タッチ操作を検出し、前記第１表示部の表示を視認可能な状態にする操作が実行された場合に、前記第２表示部の前記タッチ操作がされたタッチ操作領域に応じた画面を前記主画面に表示させるように前記第１表示部の表示を起動させる起動制御部と、を備える情報処理装置である。
【０００７】
また、本発明の一態様は、上記の情報処理装置において、前記第１表示部を備える第１筐体と、前記第１筐体の一端側に設けられたヒンジを介して回動可能に接続された第２筐体と、を備え、前記第１表示部の表示面が前記第２筐体に面するように前記第１筐体と前記第２筐体とが重なり合った、前記第１表示部の表示が視認不可能な状態から、前記第１表示部の表示が視認可能な状態となるように、前記第１筐体と前記第２筐体とが相対的に回動操作される際に、ユーザによる回動操作を受ける前記第１筐体と前記第２筐体とのいずれか一方の筐体と異なる他方の筐体の端部に前記タッチスクリーンが備えられているようにしてもよい。
【０００８】
また、本発明の一態様は、上記の情報処理装置において、前記第１表示部を備える第１筐体と、前記第１筐体の一端側に設けられたヒンジを介して回動可能に接続された第２筐体と、を備え、前記第１表示部の表示面が前記第２筐体に面するように前記第１筐体と前記第２筐体とが重なり合った、前記第１表示部の表示が視認不可能な状態から、前記第１表示部の表示が視認可能な状態となるように、前記第１筐体と前記第２筐体とが相対的に回動操作される際に、ユーザによる回動操作を受ける前記第１筐体と前記第２筐体とのいずれか一方の筐体の端部に前記タッチスクリーンが備えられているようにしてもよい。
【０００９】
また、本発明の一態様は、上記の情報処理装置において、前記タッチスクリーンが備えられる前記端部は、第１筐体と前記第２筐体とが回動する回転軸方向と垂直な方向を向く端面であってもよい。
【００１０】
また、本発明の一態様は、上記の情報処理装置において、前記タッチスクリーンが備えられる前記端部は、第１筐体と前記第２筐体とが回動する回転軸方向と平行な方向を向く端面であってもよい。
【００１１】
また、本発明の一態様は、上記の情報処理装置において、前記タッチスクリーンが備えられる前記端部は、前記第１筐体のうち、前記第１表示部の表示面が形成された面と反対側の面における、前記ヒンジが設けられた一端側とは反対側の端部であってもよい。
【００１２】
また、本発明の一態様は、上記の情報処理装置において、前記起動制御部は、前記インデックス情報として少なくとも第１のインデックス情報と第２のインデックス情報とを有する複数のインデックス情報を表示させ、前記タッチ操作領域が、前記第１のインデックス情報に対応する領域である場合に、前記第１表示部の表示が視認不可能な状態にされる前に起動中のアプリケーションの表示を最小化したデスクトップ画面を表示するように前記第１表示部の表示を起動させ、前記タッチ操作領域が、前記第２のインデックス情報に対応する領域である場合に、前記第１表示部の表示が視認不可能な状態にされる前に起動中のアプリケーションの表示画面を表示するように前記第１表示部の表示を起動させるようにしてもよい。
【００１３】
また、本発明の一態様は、上記の情報処理装置において、前記インデックス情報に対応するアプリケーションを記憶する記憶部を備え、前記起動制御部は、前記タッチ操作領域が前記インデックス情報に対応した領域であった場合に、前記第１表示部の表示が視認不可能な状態にされる前に起動中のアプリケーションのうち、前記インデックス情報に対応するアプリケーション以外を最小化して、前記第１表示部の表示を起動させるようにしてもよい。
【００１４】
また、本発明の一態様は、上記の情報処理装置において、前記起動制御部は、前記インデックス情報として、少なくともユーザに通知する所定のイベントが発生したこと示す通知情報を表示させ、前記タッチ操作領域が前記通知情報に対応した領域であった場合に、前記通知情報に関するアプリケーションの表示画面を表示するように前記第１表示部の表示を起動させるようにしてもよい。
【００１５】
また、本発明の一態様は、上記の情報処理装置において、前記起動制御部は、前記インデックス情報としてアプリケーションを示す情報を表示させ、前記タッチ操作領域が前記アプリケーションを示す情報に対応した領域であった場合に、前記アプリケーションの表示画面を表示するように前記第１表示部の表示を起動させるようにしてもよい。
【００１６】
また、本発明の一態様は、上記の情報処理装置において、前記第１表示部と、前記第２表示部とは、１つの表示装置の異なる表示領域であってもよい。
【００１７】
また、本発明の一態様は、主画面を表示する第１表示部を備える第１筐体と、前記第１筐体の一端側に設けられたヒンジを介して回動可能に接続された第２筐体と、前記第１表示部の表示面が前記第２筐体に面するように前記第１筐体と前記第２筐体が重なり合った、前記第１表示部の表示が視認不可能な状態において、視認可能且つ表示可能な第２表示部、及び前記第２表示部に対する操作媒体によるタッチ操作を検出する検出部を有するタッチスクリーンと、を備え、前記第１筐体と前記第２筐体のいずれか一方の前記ヒンジが設けられた一端側とは反対側の端部に前記タッチスクリーンが備えられている情報処理装置である。
【００１８】
また、本発明の一態様は、上記の情報処理装置において、前記タッチスクリーンが備えられる前記端部は、第１筐体と前記第２筐体とが回動する回転軸方向と垂直な方向を向く端面であってもよい。
【００１９】
また、本発明の一態様は、上記の情報処理装置において、前記タッチスクリーンが備えられる前記端部は、第１筐体と前記第２筐体とが回動する回転軸方向と平行な方向を向く端面であってもよい。
【００２０】
また、本発明の一態様は、上記の情報処理装置において、前記タッチスクリーンが備えられる前記端部は、前記第１筐体のうち、前記第１表示部の表示面が形成された面と反対側の面における端部であってもよい。
【００２１】
また、本発明の一態様は、主画面を表示する第１表示部と、前記第１表示部の表示が視認不可能な状態において、視認可能、且つ表示可能な第２表示部、及び前記第２表示部に対する操作媒体によるタッチ操作を検出する検出部を有するタッチスクリーンと、を備える情報処理装置の制御方法であって、前記第２表示部が、前記第１表示部の表示が視認不可能な状態で、インデックス情報を表示する表示ステップと、起動制御部が、前記タッチ操作を検出し、前記第１表示部の表示を視認可能な状態にする操作が実行された場合に、前記第２表示部の前記タッチ操作がされたタッチ操作領域に応じた画面を前記主画面に表示させるように前記第１表示部の表示を起動させる起動制御ステップと、を含む制御方法である。
【００２２】
また、本発明の一態様は、主画面を表示する第１表示部と、前記第１表示部の表示が視認不可能な状態において、視認可能、且つ表示可能な第２表示部、及び前記第２表示部に対する操作媒体によるタッチ操作を検出する検出部を有するタッチスクリーンと、を備える情報処理装置のコンピュータに、前記第１表示部の表示が視認不可能な状態で、前記第２表示部にインデックス情報を表示させる表示ステップと、前記タッチ操作を検出し、前記第１表示部の表示を視認可能な状態にする操作が実行された場合に、前記第２表示部の前記タッチ操作がされたタッチ操作領域に応じた画面を前記主画面に表示させるように前記第１表示部の表示を起動させる起動制御ステップと、を実行させるためのプログラムである。
【発明の効果】
【００２３】
本発明の上記態様によれば、利便性を向上させることができる。
【図面の簡単な説明】
【００２４】
【図１】第１の実施形態によるノートＰＣの一例を示す外観図である。
【図２】第１の実施形態によるノートＰＣの主要なハードウェア構成の一例を示す図である。
【図３】第１の実施形態によるノートＰＣの機能構成の一例を示すブロック図である。
【図４】アプリケーションの表示画面を表示したメイン画面の一例を示す図である。
【図５】アプリケーションの表示を最小化したデスクトップ画面の一例を示す図である。
【図６】第１の実施形態によるノートＰＣの再起動処理の一例を示すフローチャートである。
【図７】第２の実施形態によるノートＰＣの機能構成の一例を示すブロック図である。
【図８】第２の実施形態によるノートＰＣの再起動処理の一例を示すフローチャートである。
【図９】第３の実施形態によるタブレットＰＣの一例を示す外観図である。
【図１０】第４の実施形態によるノートＰＣの一例を示す外観図である。
【図１１】第５の実施形態によるノートＰＣの一例を示す外観図である。
【発明を実施するための形態】
【００２５】
以下、本発明の一実施形態による情報処理装置、及び表示制御方法について、図面を参照して説明する。
【００２６】
［第１の実施形態］
図１は、第１の実施形態によるノートＰＣ１（ノートパーソナルコンピュータ）の一例を示す外観図である。また、図２は、第１の実施形態によるノートＰＣ１の主要なハードウェア構成の一例を示す図である。なお、本実施形態において、情報処理装置の一例として、ノートＰＣ１について説明する。
【００２７】
図１に示すように、ノートＰＣ１は、ノート型のパーソナルコンピュータであり、メイン画面（主画面）を表示するメイン表示部１４と、タッチスクリーン１０とを備えている。なお、図１（ａ）は、本実施形態によるノートＰＣ１のカバーＣＶが開かれた、メイン表示部１４の表示が視認可能な状態を示している。また、図１（ｂ）は、本実施形態によるノートＰＣ１のカバーＣＶが閉じられた、メイン表示部１４の表示が視認不可能な状態を示している。
【００２８】
ノートＰＣ１は、メイン表示部１４を備える第１筐体５１と、第１筐体５１の一端側に設けられたヒンジＨを介して回動可能に接続された第２筐体５２と、を備える。メイン表示部１４の表示が視認不可能な状態から、メイン表示部１４の表示が視認可能な状態となるように、第１筐体５１と第２筐体５２とが相対的に回動操作される。ここで、メイン表示部１４の表示が視認不可能な状態とは、メイン表示部１４の表示面が第２筐体５２に面するように第１筐体５１と第２筐体５２とが重なり合った状態（カバーＣＶが閉じられた状態）である。なお、本実施形態において、第１筐体５１と第２筐体５２とが回動する回転軸方向を方向Ｌ１とし、回転軸方向に垂直な方向を方向Ｌ２として説明する。
【００２９】
タッチスクリーン１０は、自装置（ノートＰＣ１）の筐体側面に配置され、エッジ表示部１５と、エッジ検出部３５とを有する。タッチスクリーン１０は、例えば、第１筐体５１と第２筐体５２とが相対的に回動操作される際に、ユーザによる回動操作を受ける第１筐体５１（カバーＣＶ）と第２筐体５２とのいずれか一方の筐体と異なる他方の筐体の端部に備えられている。なお、本実施形態では、一例として、タッチスクリーン１０は、第２筐体５２の端部（筐体側面）に備えられている。ここで、タッチスクリーン１０が備えられる端部は、第１筐体５１と第２筐体５２とが回動する回転軸方向（方向Ｌ１）と垂直な方向（方向Ｌ２）を向く端面である。
【００３０】
エッジ表示部１５（第２表示部の一例）は、例えば、有機ＥＬ（Electro-Luminescence）ディスプレイなどであり、ノートＰＣ１の筐体側面に配置されている。エッジ表示部１５は、メイン表示部１４の表示が視認不可能な状態（例えば、開閉可能なカバーＣＶが閉じている状態）において、視認可能、且つ表示可能な表示部である。エッジ表示部１５は、例えば、カバーＣＶを閉じている状態で、各種インデックス情報を表示する。なお、インデックス情報の詳細については後述する。
【００３１】
エッジ検出部３５（検出部の一例）は、例えば、タッチパネルなどの入力デバイスであり、エッジ表示部１５と重ねて配置されている。エッジ検出部３５は、エッジ表示部１５に対する操作媒体によるタッチ操作を検出する。なお、本実施形態の以下の説明において、利用者の指がエッジ検出部３５（エッジ表示部１５）に触れることを“タッチ”と呼び、利用者の指が、エッジ検出部３５の所定の部分（エッジ表示部１５の所定の表示部分）を突くように押す（触れる）ことを、“タップ”と呼びことがある。“タッチ”及び“タップ”は、タッチ操作に含まれる。また、操作媒体には、例えば、ユーザの指やタッチペンなどが含まれる。
【００３２】
また、図２に示すように、ノートＰＣ１は、タッチスクリーン１０と、ＣＰＵ１１と、メインメモリ１２と、ビデオサブシステム１３と、メイン表示部１４と、チップセット２１と、ＢＩＯＳメモリ２２と、ＨＤＤ２３と、ＵＳＢコネクタ２４と、オーディオシステム２５と、ＷＬＡＮカード２６と、エンベデッドコントローラ３１と、キー入力部３２と、ポインティングデバイス３３と、電源回路３４と、センサ部３６とを備える。
【００３３】
ＣＰＵ（Central Processing Unit）１１は、プログラム制御により種々の演算処理を実行し、ノートＰＣ１全体を制御する。
メインメモリ１２は、ＣＰＵ１１の実行プログラムの読み込み領域として、又は、実行プログラムの処理データを書き込む作業領域として利用される書き込み可能メモリである。メインメモリ１２は、例えば、複数個のＤＲＡＭ（Dynamic Random Access Memory）チップで構成される。この実行プログラムには、ＯＳ（Operating System）、周辺機器類をハードウェア操作するための各種デバイスドライバ、各種サービス／ユーティリティ、アプリケーションプログラム等が含まれる。
【００３４】
ビデオサブシステム１３は、画像表示に関連する機能を実現するためのサブシステムであり、ビデオコントローラを含んでいる。このビデオコントローラは、ＣＰＵ１１からの描画命令を処理し、処理した描画情報をビデオメモリに書き込むとともに、ビデオメモリからこの描画情報を読み出して、メイン表示部１４及びエッジ表示部１５に描画データ（表示データ）として出力する。
【００３５】
メイン表示部１４（第１表示部の一例）は、例えば、液晶ディスプレイや有機ＥＬ（Electro-Luminescence）ディスプレイであり、メイン画面として、ビデオサブシステム１３から出力された描画データ（表示データ）に基づく表示画面を表示する。なお、メイン表示部１４は、図１（ｂ）に示すようなカバーＣＶが閉じられた状態において、メイン画面の表示を停止する。
エッジ表示部１５は、上述したように、ノートＰＣ１の筐体側面に配置され、ビデオサブシステム１３から出力された描画データ（表示データ）に基づいて、各種インデックス情報を表示する。
【００３６】
チップセット２１は、ＵＳＢ（Universal Serial Bus）、シリアルＡＴＡ（AT Attachment）、ＳＰＩ（Serial Peripheral Interface）バス、ＰＣＩ（Peripheral Component Interconnect）バス、ＰＣＩ−Ｅｘｐｒｅｓｓバス、及びＬＰＣ（Low Pin Count）バスなどのコントローラを備えており複数のデバイスが接続される。図２では、デバイスの例示として、ＢＩＯＳメモリ２２と、ＨＤＤ２３と、ＵＳＢコネクタ２４と、オーディオシステム２５と、ＷＬＡＮカード２６と、エンベデッドコントローラ３１とが、チップセット２１に接続されている。
【００３７】
ＢＩＯＳ（Basic Input Output System）メモリ２２は、例えば、ＥＥＰＲＯＭ（Electrically Erasable Programmable Read Only Memory）やフラッシュＲＯＭなどの電気的に書き換え可能な不揮発性メモリで構成される。ＢＩＯＳメモリ２２は、ＢＩＯＳ、及びエンベデッドコントローラ３１などを制御するためのシステムファームウェアなどを記憶する。
【００３８】
ＨＤＤ（Hard Disk Drive）２３（不揮発性記憶装置の一例）は、ＯＳ、各種ドライバ、各種サービス／ユーティリティ、アプリケーションプログラム、及び各種データを記憶する。ＵＳＢコネクタ２４は、ＵＳＢを利用した周辺機器類を接続するためのコネクタである。
【００３９】
オーディオシステム２５は、音データの記録、再生、出力を行う。
ＷＬＡＮ（Wireless Local Area Network）カード２６は、ワイヤレス（無線）ＬＡＮにより、ネットワークに接続して、データ通信を行う。ＷＬＡＮカード２６は、例えば、ネットワークからのデータを受信した際に、データを受信したことを示すイベントトリガを発生する。
【００４０】
エンベデッドコントローラ３１は、ノートＰＣ１のシステム状態に関わらず、各種デバイス（周辺装置やセンサ等）を監視し制御するワンチップマイコン（One-Chip Microcomputer）である。また、エンベデッドコントローラ３１は、電源回路３４を制御する電源管理機能を有している。なお、エンベデッドコントローラ３１は、不図示のＣＰＵ、ＲＯＭ、ＲＡＭなどで構成されるとともに、複数チャネルのＡ／Ｄ入力端子、Ｄ／Ａ出力端子、タイマ、及びデジタル入出力端子を備えている。エンベデッドコントローラ３１には、それらの入出力端子を介して、例えば、キー入力部３２、ポインティングデバイス３３、電源回路３４、エッジ検出部３５、及びセンサ部３６などが接続されており、エンベデッドコントローラ３１は、これらの動作を制御する。
【００４１】
エンベデッドコントローラ３１は、ＡＣＰＩ（Advanced Configuration and Power Interface）仕様に規定されたシステム状態（例えば、Ｓ０状態〜Ｓ５状態）に応じて、電源回路３４を制御する。ここで、Ｓ０状態は、最もアクティブな状態であり、通常の稼動状態（通常動作状態）である。また、Ｓ５状態は、ソフトウェアにより電源をオフしたシャットダウン状態（電源断状態）である。また、Ｓ４状態は、作業内容をＨＤＤ２３などに退避させた休止状態であるハイバネーション状態である。
【００４２】
なお、本実施形態のＣＰＵ１１は、迅速にＳ０状態に復帰可能な低消費電力状態であるＳ０ｉｘ状態に対応しており、エンベデッドコントローラ３１は、このＳ０ｉｘ状態を利用した待機モード（例えば、モダンスタンバイモード）に対応した電源回路３４の制御を実行する。ここで、Ｓ０ｉｘ状態は、ＡＣＰＩ仕様に規定されているＳ０状態の拡張状態であって、Ｓ０状態よりも消費電力を低減したＳ０ｉｘ状態である。
【００４３】
また、本実施形態において、モダンスタンバイモードでは、メイン表示部１４の表示をオフ（停止）した状態で、上述したＳ０ｉｘ状態と、バックグラウンド処理が実行されるＳ０状態とが切り替えて使用される。ここで、バックグラウンド処理とは、例えば、メイン表示部１４の表示を伴わずに、裏側（バックグラウンド）で行われる処理のことである。
【００４４】
キー入力部３２は、例えば、キーボードやタッチパネルなどの入力デバイスであり、利用者からのキー入力を受け付ける。また、ポインティングデバイス３３は、マウスやタッチパッドなどの入力デバイスであり、主に表示画面上の位置の指定や、操作ボタンなどの操作対象（オブジェクト）の指定又は選択などを受け付ける。
【００４５】
電源回路３４は、例えば、ＤＣ／ＤＣコンバータ、充放電ユニット、電池ユニット、ＡＣ／ＤＣアダプタなどを含んでおり、ＡＣ／ＤＣアダプタ、又は電池ユニットから供給される直流電圧を、ノートＰＣ１を動作させるために必要な複数の電圧に変換する。また、電源回路３４は、エンベデッドコントローラ３１からの制御に基づいて、ノートＰＣ１の各部に電力を供給する。
センサ部３６は、例えば、ノートＰＣ１の各部の温度や状態などの各種検出を行う。センサ部３６は、例えば、カバーＣＶの開閉を検出する。
【００４６】
次に、図３を参照して、本実施形態によるノートＰＣ１のシステムについて説明する。
図３は、本実施形態によるノートＰＣ１の機能構成の一例を示すブロック図である。
図３に示すように、ノートＰＣ１のシステムは、ソフトウェアにより実現される、メインシステム４０と、エッジ制御部５０とを備えている。また、ノートＰＣ１のシステムは、本実施形態の主要なハードウェアとして、メイン表示部１４と、エッジ表示部１５及びエッジ検出部３５を有するタッチスクリーン１０と、ＷＬＡＮカード２６と、センサ部３６とを備えている。
【００４７】
また、図３において、ソフトウェアは、ＨＤＤ２３又はＢＩＯＳメモリ２２に記憶されているプログラムをメインメモリ１２に読み込み、ＣＰＵ１１が実行することにより実現される。
メインシステム４０は、ＯＳ４１と、モード制御部４２と、表示制御部４３と、アプリケーション４４とを備える。
【００４８】
ＯＳ４１は、例えば、Ｗｉｎｄｏｗｓ（登録商標）などの基本ソフトであり、キー入力部３２又はポインティングデバイス３３から取得した操作情報を、アプリケーション４４、又は、他のデバイスドライバに提供する。
モード制御部４２は、ノートＰＣ１のシステムの動作モードを制御する。モード制御部４２は、例えば、ユーザがメイン表示部１４の表示を視認不可能な状態にするユーザの操作に応じて、メイン表示部１４の表示を停止する。また、モード制御部４２は、例えば、この表示の停止に応じて、Ｓ０ｉｘ状態（低消費電力状態）にするモダンスタンバイモードに変更する。モード制御部４２は、ＣＰＵ１１及びチップセット２１を、Ｓ０状態からＳ０ｉｘ状態に変更する。
【００４９】
ここで、ユーザがメイン表示部１４の表示を視認不可能な状態にするユーザの操作とは、例えば、メイン表示部１４を搭載しているカバーＣＶが、ユーザによって閉状態にされる、パワー・ボタンをユーザが押下、又はＯＳの操作によって、モダンスタンバイモードが選択される、等のスタンバイ要求である。
【００５０】
また、モード制御部４２は、メイン表示部１４の表示を停止したモダンスタンバイモード（待機モード）において、バックグラウンド処理を実行するＳ０状態と、バックグラウンド処理に切り替え可能なＳ０ｉｘ状態とを切り替える制御を行う。モード制御部４２は、タイマなどの定期的なイベントトリガに応じて、Ｓ０ｉｘ状態からバックグラウンド処理を実行するＳ０状態に変更し、予め設定されたアプリケーション４４を実行させる。
【００５１】
また、バックグラウンド処理において、アプリケーション４４の実行によって、ユーザに通知する所定のイベントが発生した場合に、モード制御部４２は、エッジ制御部５０に通知する。
また、モード制御部４２は、バックグラウンド処理が完了した場合に、再び、Ｓ０状態からＳ０ｉｘ状態に変更する。また、モード制御部４２は、モダンスタンバイモードにおいて、エッジ制御部５０からの起動要求（復帰要求）の受信や、ユーザによるパワー・ボタンの押下やキー入力部３２及びポインティングデバイス３３の操作などのイベントトリガなどが発生した場合、モダンスタンバイモードを解除して、ノートＰＣ１を通常動作モード（通常動作状態）に復帰させる。なお、通常動作モードに復帰する際には、エッジ制御部５０の要求により、メイン表示部１４の表示が変更されて起動される。
【００５２】
表示制御部４３は、例えば、表示ドライバであり、ＯＳ４１において、メイン表示部１４を利用するためのデバイスドライバである。表示制御部４３は、例えば、ＯＳ４１、エッジ制御部５０、又はアプリケーション４４からの要求によって、各種情報（表示画面）を、メイン表示部１４に表示する。
【００５３】
アプリケーション４４は、ＯＳ４１上で動作するアプリケーションソフトウェアであり、例えば、ワープロソフト、表計算ソフト、メールソフトなどである。なお、アプリケーション４４には、例えば、バックグラウンド処理で実行されるアプリケーションソフトウェアが含まれ、例えば、ＷＬＡＮカード２６などを介して、メールの受信（メールの着信）、ＳＮＳ（Social Networking Service）の更新を受信、ＯＳ又はアプリケーションプログラムの更新などの処理を実行する。また、アプリケーション４４は、例えば、メールを受信したなどのユーザに通知する所定のイベントが発生した場合に、所定のイベントが発生したことを、モード制御部４２にイベントトリガとして通知する。
【００５４】
エッジ制御部５０（起動制御部の一例）は、ＯＳ４１上で動作するアプリケーションソフトウェアであり、バックグラウンド処理を実行するアプリケーションの１つである。エッジ制御部５０は、バックグラウンド処理により、モダンスタンバイモードから復帰せずに、動作することが可能である。エッジ制御部５０は、メイン表示部１４の表示が視認不可能な状態（例えば、カバーＣＶを閉じた状態）で、エッジ表示部１５にインデックス情報を表示させる。例えば、エッジ制御部５０は、図１に示すインデックス情報（ＩＤＸ１〜ＩＤＸ７）のように、エッジ表示部１５に表示させる。
【００５５】
なお、図１に示す例では、インデックス情報ＩＤＸ１（第２のインデックス情報）が、プライベートの用途を示しており、インデックス情報ＩＤＸ２（第１のインデックス情報）が、ビジネスの用途を示している。また、インデックス情報ＩＤＸ３〜インデックス情報ＩＤＸ５が、順番に、電話の通知、電位メールの通知、及びＳＮＳの通知を示している。また、インデックス情報ＩＤＸ６及びインデックス情報ＩＤＸ７は、アプリケーション“ＡＰ＿Ａ”及びアプリケーション“ＡＰ＿Ｂ”を示している。
【００５６】
また、エッジ制御部５０は、エッジ検出部３５がユーザにタッチ（接触）されたことを検出して、メイン表示部１４の表示を視認可能な状態にする操作（例えば、カバーＣＶを開ける操作）が実行された場合に、タッチされたエッジ表示部１５のタッチ部分（接触部分）に応じて、メイン画面の表示を変更してメイン表示部１４の表示を起動させる。すなわち、エッジ制御部５０は、エッジ表示部１５のタッチ操作がされたタッチ操作領域に応じた画面をメイン表示部１４のメイン画面に表示させるようにメイン表示部１４の表示を起動させる。エッジ制御部５０は、表示制御部４３にタッチ操作領域に応じたメイン画面を表示させるとともに、モード制御部４２に、モダンスタンバイモードを解除させて、ノートＰＣ１を通常動作モードに復帰させる。
【００５７】
エッジ制御部５０は、例えば、インデックス情報として、使用用途を示す情報を、エッジ表示部１５に表示させる（例えば、図１のインデックス情報ＩＤＸ１及びインデックス情報ＩＤＸ２を参照）。使用用途には、例えば、ビジネスの用途と、プライベートの用途とが含まれる。この場合、エッジ制御部５０は、エッジ表示部１５のタッチ部分として、使用用途を示す情報の表示部分がタッチされた場合に、タッチされた表示部分の使用用途に応じた画面を、メイン画面に表示するようにメイン表示部１４の表示を起動させる。
【００５８】
例えば、エッジ制御部５０は、タッチされた表示部分の使用用途が、ビジネスの用途である場合に、メイン表示部１４の表示が視認不可能な状態にされる前に起動中のアプリケーションの表示を最小化したデスクトップ画面（例えば、図５のメイン画面Ｇ２）を表示させて、メイン表示部１４を起動させる。すなわち、エッジ制御部５０は、タッチ操作領域が、インデックス情報ＩＤＸ２（第１のインデックス情報）に対応する領域である場合に、メイン表示部１４の表示が視認不可能な状態にされる前に起動中のアプリケーションの表示を最小化したデスクトップ画面を表示するようにメイン表示部１４の表示を起動させる。なお、タッチされた表示部分の使用用途が“ビジネス”である場合に、デスクトップ画面以外にも、他の予め定められた画面やウィンドウを表示するようにしてもよい。ここで、図４及び図５を参照して、カバーＣＶの開閉によるモダンスタンバイモードの前後におけるエッジ制御部５０によるメイン画面の表示の変更例について説明する。
【００５９】
図４は、アプリケーションの表示画面を表示したメイン画面の一例を示す図である。
図４に示すメイン画面Ｇ１は、モダンスタンバイモードに移行する前のアプリケーション“ＡＰ＿Ａ”の表示画面ＡＧ１を表示している。メイン画面Ｇ１には、表示画面ＡＧ１の他に、例えば、各種アイコンＩＣＮ、及びタスクバーＴＢが表示されている。
【００６０】
図４に示す状態からカバーＣＶが閉じられ、モダンスタンバイモードに移行した状態において、ユーザが、図１に示すインデックス情報ＩＤＸ２をタッチして、カバーＣＶを開けると、エッジ制御部５０は、タッチされた表示部分の使用用途がビジネスの用途であるため、図５に示すメイン画面Ｇ２をメイン表示部１４に表示させるようにして、ノートＰＣ１を復帰させる。ここで、図５に示すメイン画面Ｇ２は、アプリケーションの表示を最小化したデスクトップ画面の一例を示している。また、エッジ制御部５０は、カバーＣＶの開閉情報を、メインシステム４０から取得するものとする。
【００６１】
また、エッジ制御部５０は、タッチされた表示部分の使用用途が、プライベートの用途である場合（例えば、図１のインデックス情報ＩＤＸ１がタッチされた場合）に、メイン表示部１４の表示が視認不可能な状態にされる前に起動中のアプリケーションの表示画面を表示するように、メイン表示部１４の表示を起動させる。すなわち、エッジ制御部５０は、タッチ操作領域が、インデックス情報ＩＤＸ１（第２のインデックス情報）に対応する領域である場合に、メイン表示部１４の表示が視認不可能な状態にされる前に起動中のアプリケーションの表示画面を表示するようにメイン表示部１４の表示を起動させる。エッジ制御部５０は、図４に示すメイン画面Ｇ１を表示するように、メイン表示部１４の表示を起動させる。
【００６２】
また、エッジ制御部５０は、インデックス情報として、ユーザに通知する所定のイベントが発生したこと示す通知情報を、エッジ表示部１５に表示させる（例えば、図１のインデックス情報ＩＤＸ３〜インデックス情報ＩＤＸ５を参照）。エッジ制御部５０は、メインシステム４０から、ユーザに通知する所定のイベントが発生したこと示す通知情報を受信した場合に、当該通知情報を、エッジ表示部１５に表示させる。
【００６３】
また、エッジ制御部５０は、エッジ表示部１５のタッチ部分として、通知情報の表示部分がタッチされ、カバーＣＶが開かれた場合に、タッチされた表示部分の通知情報に対応するアプリケーションの表示画面を表示するように、メイン表示部１４の表示を起動させる。例えば、ユーザが、図１に示すインデックス情報ＩＤＸ４をタッチして、カバーＣＶを開けると、エッジ制御部５０は、タッチされた表示部分の通知情報に対応するアプリケーションであるメールソフトの表示画面をメイン表示部１４に表示するように、ノートＰＣ１を復帰させる。すなわち、エッジ制御部５０は、タッチ操作領域が通知情報に対応した領域であった場合に、通知情報に関するアプリケーションの表示画面を表示するようにメイン表示部１４の表示を起動させる。
【００６４】
また、エッジ制御部５０は、インデックス情報として、アプリケーションを示す情報を、エッジ表示部１５に表示させる（例えば、図１のインデックス情報ＩＤＸ６及びインデックス情報ＩＤＸ７を参照）。エッジ制御部５０は、エッジ表示部１５のタッチ部分として、アプリケーションを示す情報の表示部分がタッチされ、カバーＣＶが開かれた場合に、タッチされた表示部分の情報に対応するアプリケーションの表示画面を表示させて、メイン表示部１４の表示を起動させる。例えば、ユーザが、図１に示すインデックス情報ＩＤＸ６をタッチして、カバーＣＶを開けると、エッジ制御部５０は、タッチされた表示部分の情報に対応するアプリケーション“ＡＰ＿Ａ”の表示画面をメイン表示部１４を表示させて、ノートＰＣ１を復帰させる。エッジ制御部５０は、タッチ操作領域がアプリケーションを示す情報に対応した領域であった場合に、アプリケーションの表示画面を表示するようにメイン表示部１４の表示を起動させる。
【００６５】
次に、図面を参照して、本実施形態によるノートＰＣ１の動作について説明する。
図６は、本実施形態によるノートＰＣ１の再起動処理の一例を示すフローチャートである。ここでは、ノートＰＣ１のカバーＣＶが閉じられて、メイン表示部１４の表示が停止され、モダンスタンバイモードになっている状態におけるノートＰＣ１の再起動処理について説明する。
【００６６】
図６に示すように、ノートＰＣ１のエッジ制御部５０は、まず、エッジ表示部１５にタッチがあるか否かを判定する（ステップＳ１０１）。エッジ制御部５０は、エッジ検出部３５によって、エッジ表示部１５にタッチが検出されたか否かを判定する。エッジ制御部５０は、エッジ表示部１５にタッチがある場合（ステップＳ１０１：ＹＥＳ）に、処理をステップＳ１０２に進める。また、エッジ制御部５０は、エッジ表示部１５にタッチがない場合（ステップＳ１０１：ＮＯ）に、処理をステップＳ１０１に戻す。
【００６７】
ステップＳ１０２において、エッジ制御部５０は、カバーＣＶが開かれたか否かを判定する。エッジ制御部５０は、メインシステム４０からセンサ部３６が検出したカバーＣＶの開閉情報を取得し、当該開閉情報に基づいて、カバーＣＶが開かれたか否かを判定する。エッジ制御部５０は、カバーＣＶが開かれた場合（ステップＳ１０２：ＹＥＳ）に、処理をステップＳ１０３に進める。また、エッジ制御部５０は、カバーＣＶが閉じている場合（ステップＳ１０２：ＮＯ）に、処理をステップＳ１０１に戻す。
【００６８】
ステップＳ１０３において、エッジ制御部５０は、タッチされたインデックス情報に応じて、分岐処理を実行する。
エッジ制御部５０は、例えば、インデックス情報が“プライベート”である場合（図１のインデックス情報ＩＤＸ１である場合）に、処理をステップＳ１０４に進め、表示オフ前に起動中のアプリケーションの表示画面を表示するようにメイン表示部１４の表示を起動（再起動）させる。すなわち、エッジ制御部５０は、メインシステム４０の表示制御部４３に、カバーＣＶを閉じる前に起動していたアプリケーションの表示画面をメイン表示部１４に表示させ、モード制御部４２に、モダンスタンバイモードからノートＰＣ１を復帰させる。ステップＳ１０４の処理後に、エッジ制御部５０は、処理を終了する。
【００６９】
また、エッジ制御部５０は、例えば、インデックス情報が“ビジネス”である場合（図１のインデックス情報ＩＤＸ２である場合）に、処理をステップＳ１０５に進め、表示オフ前に起動中のアプリケーションを最小化したデスクトップ画面（例えば、図５のメイン画面Ｇ２）を表示するように、メイン表示部１４の表示を起動（再起動）させる。すなわち、エッジ制御部５０は、メインシステム４０の表示制御部４３に、カバーＣＶを閉じる前に起動していたアプリケーションを全て最小化して、メイン表示部１４に表示させ、モード制御部４２に、モダンスタンバイモードからノートＰＣ１を復帰させる。ステップＳ１０５の処理後に、エッジ制御部５０は、処理を終了する。
【００７０】
また、エッジ制御部５０は、例えば、インデックス情報が“通知情報”である場合（図１のインデックス情報ＩＤＸ３〜インデックス情報ＩＤＸ５のいずれかである場合）に、処理をステップＳ１０６に進め、通知情報に対応するアプリケーションの表示画面を表示するように、メイン表示部１４の表示を起動（再起動）させる。すなわち、エッジ制御部５０は、メインシステム４０の表示制御部４３に、通知情報に対応したアプリケーションの表示画面を、メイン表示部１４に表示させ、モード制御部４２に、モダンスタンバイモードからノートＰＣ１を復帰させる。ステップＳ１０６の処理後に、エッジ制御部５０は、処理を終了する。
【００７１】
また、エッジ制御部５０は、例えば、インデックス情報が“アプリケーション”である場合（図１のインデックス情報ＩＤＸ６又はインデックス情報ＩＤＸ７である場合）に、処理をステップＳ１０７に進め、指定されたアプリケーションの表示画面を表示するように、メイン表示部１４の表示を起動（再起動）させる。すなわち、エッジ制御部５０は、メインシステム４０の表示制御部４３に、指定されたアプリケーションの表示画面を、メイン表示部１４に表示させ、モード制御部４２に、モダンスタンバイモードからノートＰＣ１を復帰させる。ステップＳ１０７の処理後に、エッジ制御部５０は、処理を終了する。
【００７２】
なお、エッジ制御部５０は、指定されたアプリケーションの表示画面を、メイン表示部１４に表示させる際に、指定されたアプリケーションの表示画面を最前面に表示させるようにしてもよいし、全画面表示で表示させてもよい。また、エッジ制御部５０は、指定されたアプリケーション以外を最小化するようにしてもよい。
【００７３】
以上説明したように、本実施形態によるノートＰＣ１（情報処理装置）は、メイン表示部１４（第１表示部）と、タッチスクリーン１０と、エッジ制御部５０（起動制御部）とを備える。メイン表示部１４は、メイン画面（主画面）を表示する。タッチスクリーン１０は、メイン表示部１４の表示が視認不可能な状態において、視認可能、且つ表示可能なエッジ表示部１５（第２表示部）、及びエッジ表示部１５に対する操作媒体によるタッチ操作を検出するエッジ検出部３５（検出部）を有する。エッジ制御部５０は、メイン表示部１４の表示が視認不可能な状態で、エッジ表示部１５にインデックス情報を表示させる。エッジ制御部５０は、タッチ操作を検出し、メイン表示部１４の表示を視認可能な状態にする操作が実行された場合に、エッジ表示部１５のタッチ操作がされたタッチ操作領域に応じた画面をメイン画面に表示させるようにメイン表示部１４の表示を起動させる。
【００７４】
これにより、本実施形態によるノートＰＣ１は、タッチ操作されたエッジ表示部１５のタッチ部分（タッチ操作領域）に応じた画面を、メイン画面に表示するようにメイン表示部１４の表示を起動できるため、利便性を向上させることができる。
【００７５】
また、本実施形態によるノートＰＣ１は、メイン表示部１４を備える第１筐体５１（カバーＣＶ）と、第１筐体５１の一端側に設けられたヒンジＨを介して回動可能に接続された第２筐体５２と、を備える。メイン表示部１４の表示面（メイン画面）が第２筐体５２に面するように第１筐体５１と第２筐体５２とが重なり合った、メイン表示部１４の表示が視認不可能な状態から、メイン表示部１４の表示が視認可能な状態となるように、第１筐体５１と第２筐体５２とが相対的に回動操作される際に、ユーザによる回動操作を受ける第１筐体５１と第２筐体５２とのいずれか一方の筐体と異なる他方の筐体の端部にタッチスクリーン１０が備えられている。
これにより、本実施形態によるノートＰＣ１は、タッチスクリーン１０をタッチ操作しながら、容易に第１筐体５１（カバーＣＶ）を開けることができ、タッチ操作領域に応じた画面を、メイン画面に表示して起動できる。よって、本実施形態によるノートＰＣ１は、さらに利便性を向上させることができる。
【００７６】
また、本実施形態では、タッチスクリーン１０が備えられる端部は、第１筐体５１と第２筐体５２とが回動する回転軸方向（方向Ｌ１）と垂直な方向（方向Ｌ２）を向く端面（図１のタッチスクリーン１０を参照）である。
これにより、本実施形態によるノートＰＣ１は、タッチスクリーン１０をタッチ操作しながら（例えば、エッジ表示部１５を押しながら）、容易に第１筐体５１と第２筐体５２とが相対的に回動操作できる。
【００７７】
また、本実施形態では、エッジ制御部５０は、インデックス情報として少なくとも第１のインデックス情報（例えば、ビジネス用途のインデックス情報ＩＤＸ２）と第２のインデックス情報（例えば、プライベート用途のインデックス情報ＩＤＸ１）とを有する複数のインデックス情報を表示させる。エッジ制御部５０は、タッチ操作領域が、第１のインデックス情報に対応する領域である場合に、メイン表示部１４の表示が視認不可能な状態にされる前に起動中のアプリケーションの表示を最小化したデスクトップ画面（例えば、図５のメイン画面Ｇ２）を表示するようにメイン表示部１４の表示を起動させる。また、エッジ制御部５０は、タッチ操作領域が、第２のインデックス情報に対応する領域である場合に、メイン表示部１４の表示が視認不可能な状態にされる前に起動中のアプリケーションの表示画面を表示するようにメイン表示部１４の表示を起動させる。
【００７８】
また、本実施形態では、エッジ制御部５０は、インデックス情報として少なくとも第１のインデックス情報（例えば、ビジネス用途のインデックス情報ＩＤＸ２）と第２のインデックス情報（例えば、プライベート用途のインデックス情報ＩＤＸ１）とを有する複数のインデックス情報を表示させる。エッジ制御部５０は、タッチ操作領域が、第１のインデックス情報に対応する領域である場合に、メイン表示部１４の表示が視認不可能な状態にされる前に起動中のアプリケーションの表示を最小化したデスクトップ画面（例えば、図５のメイン画面Ｇ２）を表示するようにメイン表示部１４の表示を起動させる。また、エッジ制御部５０は、タッチ操作領域が、第２のインデックス情報に対応する領域である場合に、メイン表示部１４の表示が視認不可能な状態にされる前に起動中のアプリケーションの表示画面を表示するようにメイン表示部１４の表示を起動させる。
これにより、本実施形態によるノートＰＣ１は、タッチ操作領域のインデックス情報に応じてメイン表示部１４の表示を適切に切り替えて起動させることができる。
【００７９】
また、本実施形態では、エッジ制御部５０は、インデックス情報として、使用用途を示す情報を、エッジ表示部１５に表示させる。そして、エッジ制御部５０は、エッジ表示部１５のタッチ部分として、使用用途を示す情報の表示部分がタッチされた場合に、タッチされた表示部分の使用用途に応じて、メイン画面の表示を変更してメイン表示部１４の表示を起動させる。
これにより、本実施形態によるノートＰＣ１は、使用用途に応じて、選択的にメイン画面の表示を切り替えて（変更して）メイン表示部１４の表示を起動させることができる。よって、本実施形態によるノートＰＣ１は、さらに、利便性を向上させることができる。
【００８０】
また、本実施形態では、使用用途には、ビジネスの用途と、プライベートの用途とが含まれる。エッジ制御部５０は、タッチされた表示部分の使用用途が、ビジネスの用途である場合に、メイン表示部１４の表示が視認不可能な状態にされる前に起動中のアプリケーションの表示を最小化したデスクトップ画面（例えば、図５のメイン画面Ｇ２）に変更して、メイン表示部１４の表示を起動させる。また、エッジ制御部５０は、タッチされた表示部分の使用用途が、プライベートの用途である場合に、メイン表示部１４の表示が視認不可能な状態にされる前に起動中のアプリケーションの表示画面に変更して、メイン表示部１４の表示を起動させる。
【００８１】
これにより、本実施形態によるノートＰＣ１は、例えば、表示を停止する直前に、プライベートの用途に使用していた場合に、ビジネスの用途で通常動作モードに復帰させると、プライベートの用途で使用していた表示画面が表示されることがない。そのため、本実施形態によるノートＰＣ１では、ビジネスの用途で他人にプライベートの用途の表示画面を見られてしまうことを防止できる。よって、本実施形態によるノートＰＣ１は、さらに、利便性を向上させることができる。
【００８２】
また、本実施形態では、エッジ制御部５０は、インデックス情報として、少なくともユーザに通知する所定のイベントが発生したこと示す通知情報を、エッジ表示部１５に表示させる。そして、エッジ制御部５０は、タッチ操作領域が通知情報に対応した領域であった場合に、通知情報に関するアプリケーションの表示画面を表示するように、メイン表示部１４の表示を起動させる。
これにより、本実施形態によるノートＰＣ１は、イベントが発生したアプリケーションの表示画面を表示させて、メイン表示部１４を起動させることができるため、通知情報を起動後に直ちに確認することができる。
【００８３】
また、本実施形態では、エッジ制御部５０は、インデックス情報として、アプリケーションを示す情報を、エッジ表示部１５に表示させる。そして、エッジ制御部５０は、タッチ操作領域がアプリケーションを示す情報に対応した領域であった場合に、タッチ操作領域に対応するアプリケーションの表示画面を表示するように、メイン表示部１４の表示を起動させる。
これにより、本実施形態によるノートＰＣ１は、インデックス情報により指定したアプリケーションの表示画面を表示させて、メイン表示部１４を起動させることができるため、さらに利便性を向上させることができる。
【００８４】
また、本実施形態では、メイン表示部１４の表示が視認不可能な状態は、開閉可能な自装置のカバーＣＶを閉じた状態であり、メイン表示部１４の表示を視認可能な状態にする操作には、自装置のカバーＣＶを開ける操作が含まれる。
これにより、本実施形態によるノートＰＣ１は、エッジ表示部１５をタッチして、カバーＣＶを開けるという簡易な操作により、所望の表示画面を表示するようにメイン表示部１４を起動させることができる。
【００８５】
また、本実施形態では、メイン表示部１４の表示が視認不可能な状態が、バックグラウンド処理を実行する動作状態に切り替え可能な低消費電力状態にする待機モード（例えば、モダンスタンバイモード）の状態である。
これにより、本実施形態によるノートＰＣ１は、低消費電力を実現しつつ、ユーザに通知する所定のイベントが発生したこと示す通知情報を、インデックス情報として、エッジ表示部１５に表示することができ、利便性をさらに向上させることができる。
【００８６】
また、本実施形態による制御方法は、メイン画面を表示するメイン表示部１４と、メイン表示部１４の表示が視認不可能な状態において、視認可能、且つ表示可能なエッジ表示部１５、及びエッジ表示部１５に対する操作媒体によるタッチ操作を検出するエッジ検出部３５を有するタッチスクリーン１０と、を備えるノートＰＣ１の制御方法であって、表示ステップと、起動制御ステップとを含む。表示ステップにおいて、エッジ表示部１５が、メイン表示部１４の表示が視認不可能な状態で、インデックス情報を表示する。起動制御ステップにおいて、エッジ制御部５０が、メイン表示部１４の表示が視認不可能な状態で、タッチ操作を検出し、メイン表示部１４の表示を視認可能な状態にする操作が実行された場合に、エッジ表示部１５のタッチ操作がされたタッチ操作領域に応じた画面をメイン画面に表示させるようにメイン表示部１４の表示を起動させる。
これにより、本実施形態による制御方法は、上述したノートＰＣ１と同様の効果を奏し、利便性を向上させることができる。
【００８７】
また、本実施形態によるノートＰＣ１は、第１筐体５１と、第２筐体５２と、タッチスクリーン１０と、を備える。第１筐体５１は、メイン画面を表示するメイン表示部１４を備える。第２筐体５２は、第１筐体５１の一端側に設けられたヒンジＨを介して回動可能に接続されている。タッチスクリーン１０は、エッジ表示部１５、及びエッジ検出部３５を有する。エッジ表示部１５は、メイン表示部１４の表示面が第２筐体５２に面するように第１筐体５１と第２筐体５２が重なり合った、メイン表示部１４の表示が視認不可能な状態において、視認可能且つ表示可能である。エッジ検出部３５は、エッジ表示部１５に対する操作媒体によるタッチ操作を検出する。第１筐体５１と第２筐体５２のいずれか一方のヒンジＨが設けられた一端側とは反対側の端部にタッチスクリーン１０が備えられている。
これにより、本実施形態によるノートＰＣ１は、タッチスクリーン１０をタッチ操作しながら筐体端部をつまんで筐体（例えば、第１筐体５１）を回動させる操作が容易になり、利便性を向上させることができる。
【００８８】
［第２の実施形態］
次に、図面を参照して、第２の実施形態によるノートＰＣ１ａについて説明する。
本実施形態では、プライベートの用途と、ビジネスの用途とで、メイン表示部１４の表示の起動の際に表示するアプリケーションを変更する変形例について説明する。
【００８９】
図７は、本実施形態によるノートＰＣ１ａの機能構成の一例を示すブロック図である。
なお、本実施形態におけるノートＰＣ１ａの外観及び主要なハードウェア構成は、図１及び図２に示す第１の実施形態と同様であるため、ここではその説明を省略する。
【００９０】
図７に示すように、ノートＰＣ１ａのシステムは、ソフトウェアにより実現される、メインシステム４０ａと、エッジ制御部５０ａとを備えている。
なお、図７において、上述した図３に示す第１の実施形態と同一の構成には、同一の符号を付与してここではその説明を省略する。
【００９１】
メインシステム４０ａは、ＯＳ４１と、モード制御部４２と、表示制御部４３と、アプリケーション４４と、ＡＰ用途記憶部４５とを備える。
ＡＰ用途記憶部４５は、使用用途に対応するアプリケーションの情報を記憶する。ＡＰ用途記憶部４５は、例えば、使用用途を示す情報と、アプリケーションを示す情報とを対応付けて記憶する。すなわち、ＡＰ用途記憶部４５は、インデックス情報に対応するアプリケーションを記憶する。例えば、ＡＰ用途記憶部４５には、プライベートの用途に対応するアプリケーションを示す情報と、ビジネスの用途に対応するアプリケーションを示す情報とが予め記憶されている。
【００９２】
なお、ＡＰ用途記憶部４５には、ユーザによって、使用用途に対応するアプリケーションが登録されてもよいし、メインシステム４０ａに、例えば、ビジネスモードとプライベートモードとを設けいて、それぞれのモードにおいて実行されたアプリケーションが、自動的にで登録されるようにしてもよい。
【００９３】
エッジ制御部５０ａの基本的な機能は、上述した第１の実施形態におけるエッジ制御部５０と同様である。本実施形態におけるエッジ制御部５０ａは、メイン表示部１４の表示を起動する際に、使用用途に対応するアプリケーションの表示画面の表示の仕方が第１の実施形態と異なる。
本実施形態におけるエッジ制御部５０ａは、メイン表示部１４の表示が視認不可能な状態にされる前に起動中のアプリケーションのうち、タッチされた表示部分の使用用途に対応するアプリケーション以外を最小化して、メイン表示部１４の表示を起動させる。なお、エッジ制御部５０ａは、メインシステム４０ａのＡＰ用途記憶部４５が記憶する情報を参照して、使用用途に対応するアプリケーションを判定する。
【００９４】
例えば、使用用途がプライベートの用途である場合に、エッジ制御部５０ａは、ＡＰ用途記憶部４５を参照して、プライベートの用途に対応するアプりケーションの情報を取得する。エッジ制御部５０ａは、取得したプライベートの用途に対応するアプりケーション以外を最小化して、メイン表示部１４の表示を起動させる。
また、例えば、使用用途がビジネスの用途である場合に、エッジ制御部５０ａは、ＡＰ用途記憶部４５を参照して、ビジネスの用途に対応するアプりケーションの情報を取得する。エッジ制御部５０ａは、取得したビジネスの用途に対応するアプりケーション以外を最小化して、メイン表示部１４の表示を起動させる。
【００９５】
次に、図８を参照して、本実施形態によるノートＰＣ１ａの動作について説明する。
図８は、本実施形態によるノートＰＣ１ａの再起動処理の一例を示すフローチャートである。ここでは、ノートＰＣ１ａのカバーＣＶが閉じられて、メイン表示部１４の表示が停止され、モダンスタンバイモードになっている状態におけるノートＰＣ１ａの再起動処理について説明する。
【００９６】
図８に示すように、ノートＰＣ１ａのエッジ制御部５０ａは、まず、エッジ表示部１５にタッチがあるか否かを判定する（ステップＳ２０１）。なお、ステップＳ２０１からステップＳ２０３までの処理、並びに、ステップＳ２０６及びステップＳ２０７の処理は、上述した図６に示すステップＳ１０１からステップＳ１０３までの処理、並びに、ステップＳ１０６及びステップＳ１０７の処理と同様であるため、ここではその説明を省略する。
【００９７】
ステップＳ２０３において、エッジ制御部５０ａは、例えば、インデックス情報が“プライベート”である場合に、処理をステップＳ２０４に進め、プライベート用のアプリケーションの表示画面を表示するように、メイン表示部１４の表示を起動（再起動）させる。すなわち、エッジ制御部５０ａは、メインシステム４０ａのＡＰ用途記憶部４５を参照して、プライベートの用途に対応するアプりケーションの情報を取得する。エッジ制御部５０ａは、取得したプライベートの用途に対応するアプりケーション以外を最小化して、メイン表示部１４の表示を起動させる。エッジ制御部５０ａは、メインシステム４０ａの表示制御部４３に、プライベートの用途に対応するアプりケーションの表示画面をメイン表示部１４に表示させ、モード制御部４２に、モダンスタンバイモードからノートＰＣ１ａを復帰させる。ステップＳ２０４の処理後に、エッジ制御部５０ａは、処理を終了する。
【００９８】
また、エッジ制御部５０ａは、例えば、インデックス情報が“ビジネス”である場合に、処理をステップＳ２０５に進め、ビジネス用のアプリケーションの表示画面を表示するように、メイン表示部１４の表示を起動（再起動）させる。すなわち、エッジ制御部５０ａは、メインシステム４０ａのＡＰ用途記憶部４５を参照して、ビジネスの用途に対応するアプりケーションの情報を取得する。エッジ制御部５０ａは、取得したビジネスの用途に対応するアプりケーション以外を最小化して、メイン表示部１４の表示を起動させる。エッジ制御部５０ａは、メインシステム４０ａの表示制御部４３に、ビジネスの用途に対応するアプりケーションの表示画面をメイン表示部１４に表示させ、モード制御部４２に、モダンスタンバイモードからノートＰＣ１ａを復帰させる。ステップＳ２０５の処理後に、エッジ制御部５０ａは、処理を終了する。
【００９９】
以上説明したように、本実施形態によるノートＰＣ１ａでは、エッジ制御部５０ａは、メイン表示部１４の表示が視認不可能な状態にされる前に起動中のアプリケーションのうち、接触された表示部分の使用用途に対応するアプリケーション以外を最小化して、メイン表示部１４の表示を起動させる。例えば、本実施形態によるノートＰＣ１ａは、インデックス情報に対応するアプリケーションを記憶するＡＰ用途記憶部４５を備える。エッジ制御部５０ａは、タッチ操作領域がインデックス情報に対応した領域であった場合に、メイン表示部１４の表示が視認不可能な状態にされる前に起動中のアプリケーションのうち、ＡＰ用途記憶部４５が記憶する情報に基づいて、インデックス情報に対応するアプリケーション以外を最小化して、メイン表示部１４の表示を起動させる。
【０１００】
これにより、本実施形態によるノートＰＣ１ａは、使用用途に応じて、適切に表示画面を切り替えて、メイン表示部１４の表示を起動させることができ、さらに利便性を向上させることができる。本実施形態によるノートＰＣ１ａは、例えば、表示を停止する直前に、プライベートの用途に使用していた場合に、ビジネスの用途で通常動作モードに復帰させると、プライベートの用途で使用していた表示画面が表示されることがない。そのため、本実施形態によるノートＰＣ１ａでは、ビジネスの用途で他人にプライベートの用途の表示画面を見られてしまうことを防止できる。また、本実施形態によるノートＰＣ１ａでは、プライベートの用途で他人にビジネスの用途の表示画面を見られてしまうことを防止できる。
【０１０１】
なお、上述した第１及び第２の実施形態において、エッジ検出部３５がタッチされたことを検出して、メイン画面の表示を変更する例を説明したが、例えば、ダブルタップや、長押しなど、エッジ検出部３５が所定のタッチ操作（接触操作）を伴って接触されたことを検出して、メイン画面の表示を変更するようにしてもよい。すなわち、エッジ制御部５０（５０ａ）は、メイン表示部１４の表示が視認不可能な状態で、エッジ検出部３５が所定のタッチ操作を伴ってタッチされたことを検出して、メイン表示部１４の表示を視認可能な状態にする操作が実行された場合に、タッチされたエッジ表示部１５のタッチ部分に応じた画面を、メイン画面に表示するようにメイン表示部１４の表示を起動させるようにしてもよい。すなわち、タッチ操作には、１回のタップ、複数回のタップ、又はエッジ検出部３５が所定の期間以上押される長押し操作などが含まれる。
これにより、ノートＰＣ１（１ａ）は、エッジ検出部３５の誤検出による誤動作を低減することができる。
【０１０２】
［第３の実施形態］
次に、図面を参照して、第３の実施形態によるタブレットＰＣ１ｂについて説明する。
本実施形態では、情報処理装置が、上述したメイン表示部１４とエッジ表示部１５とを１枚のパネルで構成したタッチスクリーン１０ａを備えるタブレットＰＣ１ｂである場合の変形例について説明する。
【０１０３】
図９は、本実施形態によるタブレットＰＣ１ｂの一例を示す外観図である。
図９に示すように、タブレットＰＣ１ｂは、第１筐体５１と第２筐体５２とがヒンジＨにより接続され、第１筐体５１及び第２筐体５２の表面に、１枚のタッチスクリーン１０ａが配置されている。また、図９（ａ）は、タブレットＰＣ１ｂを折り畳んだ状態の外観図を示し、図１０（ｂ）は、第１筐体５１と第２筐体５２とを開いて直線状に配置した状態の外観図を示している。なお、この図において、第１筐体５１と第２筐体５２とが回動する回転軸方向を方向Ｌ１とし、回転軸方向に垂直な方向を方向Ｌ２として説明する。
【０１０４】
タッチスクリーン１０ａは、メイン表示部１４ａと、エッジ表示部１５ａと、エッジ検出部３５ａと、メイン検出部３５ｂとを備えている。
メイン表示部１４ａ及びエッジ表示部１５ａを構成する１枚の表示パネルは、例えば、有機ＥＬディスプレイであり、折り曲げ（折り畳み）可能に構成されている。メイン表示部１４ａは、メイン画面を表示する。また、メイン検出部３５ｂは、メイン表示部１４ａに重ねて配置されており、上述したキー入力部３２及びポインティングデバイス３３として機能する。
【０１０５】
エッジ表示部１５ａは、第１筐体５１の側面と、第２筐体５２の側面との２箇所に配置され、上述した第１及び第２の実施形態と同様に、インデックス情報を表示する。また、エッジ検出部３５ａは、上述した第１及び第２の実施形態と同様に、エッジ表示部１５ａに対する操作媒体によるタッチ操作を検出する。
【０１０６】
なお、エッジ検出部３５ａとメイン検出部３５ｂは、１枚のタッチパネルとして構成されてもよいし、複数のタッチパネルで構成してもよい。
また、本実施形態では、第１筐体５１がカバーＣＶに対応し、図１（ａ）が、カバーＣＶを閉じた状態に対応し、図１（ｂ）が、カバーＣＶを開いた状態に対応する。
【０１０７】
なお、本実施形態におけるタブレットＰＣ１ｂの主要なハードウェア構成、及び機能構成は、メイン表示部１４、タッチスクリーン１０、キー入力部３２、及びポインティングデバイス３３が、タッチスクリーン１０ａに置き換わっている点を除いて、図２及び図３（又は図７）に示す第１及び第２の実施形態と同様である。
また、本実施形態におけるタブレットＰＣ１ｂの動作についても、第１及び第２の実施形態と同様であるため、ここではその説明を省略する。
【０１０８】
以上説明したように、本実施形態によるタブレットＰＣ１ｂでは、メイン表示部１４ａと、エッジ表示部１５ａとが１つの表示部として構成されている。すなわち、メイン表示部１４ａと、エッジ表示部１５ａとは、１つの表示装置の異なる表示領域である。
これにより、本実施形態によるタブレットＰＣ１ｂでは、部品点数を低減することができ、システム全体の消費電力を低減することができる。
【０１０９】
また、本実施形態では、図９に示すように、メイン表示部１４ａの表示面が第２筐体５２に面するように第１筐体５１と第２筐体５２とが重なり合った、メイン表示部１４ａの表示が視認不可能な状態から、メイン表示部１４ａの表示が視認可能な状態となるように、第１筐体５１と第２筐体５２とが相対的に回動操作される際に、ユーザによる回動操作を受ける第１筐体５１と第２筐体５２とのいずれか一方又は両方の筐体の端部にタッチスクリーン１０ａが備えられている。
これにより、本実施形態によるタブレットＰＣ１ｂは、タッチスクリーン１０ａをタッチ操作しながら筐体（例えば、第１筐体５１）を回動させる操作が容易になり、利便性を向上させることができる。
【０１１０】
なお、本実施形態において、エッジ表示部１５ａは、第１筐体５１の側面及び第２筐体５２の側面の代わりに、側面から延在する天面部分の表示領域のうちの端部付近の表示領域に配置され、インデックス情報を表示するようにしてもよい。この場合、エッジ検出部３５ａは、上述した第１及び第２の実施形態と同様に、当該領域に対する操作媒体によるタッチ操作を検出する。このように、エッジ表示部１５ａ及びエッジ検出部３５ａが備えられる端部は、例えば、第１筐体５１のうち、メイン表示部１４ａの表示面が形成された面と反対側の面における、ヒンジＨが設けられた一端側とは反対側の端部（例えば、天面端部）であってもよい。
【０１１１】
［第４の実施形態］
次に、図面を参照して、第４の実施形態によるノートＰＣ１ｃについて説明する。
本実施形態では、上述した第１の実施形態によるノートＰＣ１のタッチスクリーン１０の配置を変更した変形例について説明する。
【０１１２】
図１０は、本実施形態によるノートＰＣ１ｃの一例を示す外観図である。
図１０に示すように、本実施形態によるノートＰＣ１ｃでは、タッチスクリーン１０が、第２筐体５２の横側面に配置されている。すなわち、タッチスクリーン１０が備えられる端部は、第１筐体５１（カバーＣＶ）と第２筐体５２とが回動する回転軸方向と平行な方向（方向Ｌ１）を向く端面である。なお、ノートＰＣ１ｃのその他の構成及びノートＰＣ１ｃの動作は、第１又は第２の実施形態と同様であるため、ここではその説明を省略する。
【０１１３】
以上説明したように、本実施形態では、タッチスクリーン１０が備えられる端部は、第１筐体５１と第２筐体５２とが回動する回転軸方向と平行な方向（方向Ｌ１）を向く端面である。
これにより、本実施形態によるノートＰＣ１ｃは、片方（一方）の手でタッチスクリーン１０をタッチ操作しながら、もう片方（他方）の手で第１筐体５１（カバーＣＶ）を回転操作させて、上述した起動操作を確実に行うことができる。
【０１１４】
［第５の実施形態］
次に、図面を参照して、第５の実施形態によるノートＰＣ１ｄについて説明する。
本実施形態では、上述した第１の実施形態によるノートＰＣ１のタッチスクリーン１０の配置を変更した別の変形例について説明する。
【０１１５】
図１１は、本実施形態によるノートＰＣ１ｄの一例を示す外観図である。
図１１に示すように、本実施形態によるノートＰＣ１ｄでは、タッチスクリーン１０が、メイン表示部１４の裏側（反対側）の面（天面端部）に配置されている。すなわち、タッチスクリーン１０が備えられる端部は、第１筐体５１のうち、メイン表示部１４の表示面が形成された面と反対側の面における、ヒンジＨが設けられた一端側とは反対側の端部である。なお、ノートＰＣ１ｄのその他の構成及びノートＰＣ１ｄの動作は、第１又は第２の実施形態と同様であるため、ここではその説明を省略する。
【０１１６】
以上説明したように、本実施形態では、タッチスクリーン１０が備えられる端部は、第１筐体５１のうち、メイン表示部１４の表示面が形成された面と反対側の面における、ヒンジＨが設けられた一端側とは反対側の端部である。
これにより、本実施形態によるノートＰＣ１ｄは、片方の手で第１筐体５１の天面端部のタッチスクリーン１０を押しながら、第１筐体５１を回動させることができる。
【０１１７】
なお、本発明は、上記の各実施形態に限定されるものではなく、本発明の趣旨を逸脱しない範囲で変更可能である。
例えば、上記の各実施形態において、情報処理装置の例として、ノートＰＣ１（１ａ、１ｃ、１ｄ）及びタブレットＰＣ１ｂである例を説明したが、これに限定されるものではなく、例えば、ＰＤＡ（Personal Digital Assistant）、スマートフォンなどのたの情報処理装置であってもよい。
【０１１８】
また、上記の各実施形態において、エッジ制御部５０（５０ａ）は、カバーＣＶを閉じている状態において、所定の時間が経過したら、エッジ表示部１５（１５ａ）の表示を停止（表示オフ）してもよい。この場合、エッジ制御部５０（５０ａ）は、エッジ検出部３５（３５ａ）がタッチを検出した場合に、エッジ表示部１５（１５ａ）の表示を再開してから、エッジ検出部３５（３５ａ）が表示部分のタッチを検出する。
これにより、ノートＰＣ１（１ａ、１ｃ、１ｄ）及びタブレットＰＣ１ｂは、消費電力を低減することができる。
また、エッジ制御部５０（５０ａ）は、エッジ表示部１５（１５ａ）の表示を定期的に表示及び停止するようにしてもよい。また、エッジ制御部５０（５０ａ）は、自装置が水平にされたことを検知して、エッジ表示部１５（１５ａ）の表示を再開するようにしてもよい。
【０１１９】
また、上記の各実施形態において、エッジ制御部５０（５０ａ）は、使用用途のインデックス情報がタッチされた場合に、当該使用用途に対応するアプリケーションを示す情報を、エッジ表示部１５（１５ａ）に追加で表示させるようにしてもよい。この場合、エッジ制御部５０（５０ａ）は、さらに、アプリケーションを示す情報の表示部分がタッチされることで、アプリケーションの表示画面を表示するように、メイン表示部１４（１４ａ）の表示を起動させるようにしてもよい。これにより、ノートＰＣ１（１ａ、１ｃ、１ｄ）及びタブレットＰＣ１ｂは、さらに利便性を向上させることができる。
【０１２０】
また、上記の各実施形態において、使用用途が、プライベートの用途と、ビジネスの用途との２種類である例を説明したが、３種類以上の使用用途に対応させてもよい。例えば、ビジネスの用途を、本業と副業とに分けるようにしてもよいし、業務のプロジェクトごとに分けるようにしてもよい。
また、上記の各実施形態において、ノートＰＣ１（１ａ、１ｃ、１ｄ）及びタブレットＰＣ１ｂは、使用用途又はタッチ操作されたインデックス情報に応じて、ログイン画面（例えば、ログインＩＤを変更したログイン画面）を切り替えて起動するようにしてもよい。
【０１２１】
また、上記の各実施形態において、エッジ制御部５０（５０ａ）は、プライベートの用途、及びビジネスの用途など、使用用途に応じて、エッジ表示部１５（１５ａ）に表示するインデックス情報の色などを変更するようにしてもよい。また、エッジ制御部５０（５０ａ）は、通知情報を受信した場合に、通知情報の表示部分を点滅させたり、通知件数を追加して表示するようにしてもよい。
【０１２２】
また、上記の各実施形態において、低消費電力状態にする待機モードの一例として、モダンスタンバイモードを用いる例を説明したが、これに限定されるものではない。エッジ制御部５０（５０ａ）の処理は、例えば、他の省電力モード、スタンバイ状態、休止状態などの待機モードに適用されてもよい。
また、上記の第１、第２、及び第４の実施形態において、第２筐体５２が、タッチスクリーン１０を備える例を説明したが、第３及び第５の実施形態のように、第１筐体５１がタッチスクリーン１０を備える形態であってもよい。
【０１２３】
なお、上述したノートＰＣ１（１ａ、１ｃ、１ｄ）及びタブレットＰＣ１ｂが備える各構成は、内部に、コンピュータシステムを有している。そして、上述したノートＰＣ１（１ａ、１ｃ、１ｄ）及びタブレットＰＣ１ｂが備える各構成の機能を実現するためのプログラムをコンピュータ読み取り可能な記録媒体に記録して、この記録媒体に記録されたプログラムをコンピュータシステムに読み込ませ、実行することにより上述したノートＰＣ１（１ａ、１ｃ、１ｄ）及びタブレットＰＣ１ｂが備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１２４】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後にノートＰＣ１（１ａ、１ｃ、１ｄ）及びタブレットＰＣ１ｂが備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１２５】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１２６】
１、１ａ  ノートＰＣ
１ｂ  タブレットＰＣ
１０、１０ａ  タッチスクリーン
１１  ＣＰＵ
１２  メインメモリ
１３  ビデオサブシステム
１４、１４ａ  メイン表示部
１５、１５ａ  エッジ表示部
２１  チップセット
２２  ＢＩＯＳメモリ
２３  ＨＤＤ
２４  ＵＳＢコネクタ
２５  オーディオシステム
２６  ＷＬＡＮカード
３１  エンベデッドコントローラ
３２  キー入力部
３３  ポインティングデバイス
３４  電源回路
３５、３５ａ  エッジ検出部
３５ｂ  メイン検出部
３６  センサ部
４０、４０ａ  メインシステム
４１  ＯＳ
４２  モード制御部
４３  表示制御部
４４  アプリケーション
４５  ＡＰ用途記憶部
５０、５０ａ  エッジ制御部
５１  第１筐体
５２  第２筐体
ＣＶ  カバー
Ｈ  ヒンジ
【図１】
2020061086.tif 000003
【図２】
2020061086.tif 000004
【図３】
2020061086.tif 000005
【図４】
2020061086.tif 000006
【図５】
2020061086.tif 000007
【図６】
2020061086.tif 000008
【図７】
2020061086.tif 000009
【図８】
2020061086.tif 000010
【図９】
2020061086.tif 000011
【図１０】
2020061086.tif 000012
【図１１】
2020061086.tif 000013
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
主画面を表示する第１表示部と、
前記第１表示部の表示が視認不可能な状態において、視認可能、且つ表示可能な第２表示部、及び前記第２表示部に対する操作媒体によるタッチ操作を検出する検出部を有するタッチスクリーンと、
前記第１表示部の表示が視認不可能な状態で、前記第２表示部にインデックス情報を表示させ、前記タッチ操作を検出し、前記第１表示部の表示を視認可能な状態にする操作が実行された場合に、前記第２表示部の前記タッチ操作がされたタッチ操作領域に応じた画面を前記主画面に表示させるように前記第１表示部の表示を起動させる起動制御部と、
を備える情報処理装置。
【請求項２】
前記第１表示部を備える第１筐体と、
前記第１筐体の一端側に設けられたヒンジを介して回動可能に接続された第２筐体と、
を備え、
前記第１表示部の表示面が前記第２筐体に面するように前記第１筐体と前記第２筐体とが重なり合った、前記第１表示部の表示が視認不可能な状態から、前記第１表示部の表示が視認可能な状態となるように、前記第１筐体と前記第２筐体とが相対的に回動操作される際に、ユーザによる回動操作を受ける前記第１筐体と前記第２筐体とのいずれか一方の筐体と異なる他方の筐体の端部に前記タッチスクリーンが備えられている
請求項１に記載の情報処理装置。
【請求項３】
前記第１表示部を備える第１筐体と、
前記第１筐体の一端側に設けられたヒンジを介して回動可能に接続された第２筐体と、
を備え、
前記第１表示部の表示面が前記第２筐体に面するように前記第１筐体と前記第２筐体とが重なり合った、前記第１表示部の表示が視認不可能な状態から、前記第１表示部の表示が視認可能な状態となるように、前記第１筐体と前記第２筐体とが相対的に回動操作される際に、ユーザによる回動操作を受ける前記第１筐体と前記第２筐体とのいずれか一方の筐体の端部に前記タッチスクリーンが備えられている
請求項１に記載の情報処理装置。
【請求項４】
前記タッチスクリーンが備えられる前記端部は、第１筐体と前記第２筐体とが回動する回転軸方向と垂直な方向を向く端面である
請求項２又は請求項３に記載の情報処理装置。
【請求項５】
前記タッチスクリーンが備えられる前記端部は、第１筐体と前記第２筐体とが回動する回転軸方向と平行な方向を向く端面である
請求項２又は請求項３に記載の情報処理装置。
【請求項６】
前記タッチスクリーンが備えられる前記端部は、前記第１筐体のうち、前記第１表示部の表示面が形成された面と反対側の面における、前記ヒンジが設けられた一端側とは反対側の端部である
請求項２又は請求項３に記載の情報処理装置。
【請求項７】
前記起動制御部は、
前記インデックス情報として少なくとも第１のインデックス情報と第２のインデックス情報とを有する複数のインデックス情報を表示させ、
前記タッチ操作領域が、前記第１のインデックス情報に対応する領域である場合に、前記第１表示部の表示が視認不可能な状態にされる前に起動中のアプリケーションの表示を最小化したデスクトップ画面を表示するように前記第１表示部の表示を起動させ、
前記タッチ操作領域が、前記第２のインデックス情報に対応する領域である場合に、前記第１表示部の表示が視認不可能な状態にされる前に起動中のアプリケーションの表示画面を表示するように前記第１表示部の表示を起動させる
請求項１から請求項６のいずれか一項に記載の情報処理装置。
【請求項８】
前記インデックス情報に対応するアプリケーションを記憶する記憶部を備え、
前記起動制御部は、
前記タッチ操作領域が前記インデックス情報に対応した領域であった場合に、前記第１表示部の表示が視認不可能な状態にされる前に起動中のアプリケーションのうち、前記インデックス情報に対応するアプリケーション以外を最小化して、前記第１表示部の表示を起動させる
請求項１から請求項７のいずれか一項に記載の情報処理装置。
【請求項９】
前記起動制御部は、
前記インデックス情報として、少なくともユーザに通知する所定のイベントが発生したこと示す通知情報を表示させ、
前記タッチ操作領域が前記通知情報に対応した領域であった場合に、前記通知情報に関するアプリケーションの表示画面を表示するように前記第１表示部の表示を起動させる
請求項１から請求項８のいずれか一項に記載の情報処理装置。
【請求項１０】
前記起動制御部は、
前記インデックス情報としてアプリケーションを示す情報を表示させ、
前記タッチ操作領域が前記アプリケーションを示す情報に対応した領域であった場合に、前記アプリケーションの表示画面を表示するように前記第１表示部の表示を起動させる
請求項１から請求項９のいずれか一項に記載の情報処理装置。
【請求項１１】
前記第１表示部と、前記第２表示部とは、１つの表示装置の異なる表示領域である
請求項１から請求項１０のいずれか一項に記載の情報処理装置。
【請求項１２】
主画面を表示する第１表示部と、前記第１表示部の表示が視認不可能な状態において、視認可能、且つ表示可能な第２表示部、及び前記第２表示部に対する操作媒体によるタッチ操作を検出する検出部を有するタッチスクリーンと、を備える情報処理装置の制御方法であって、
前記第２表示部が、前記第１表示部の表示が視認不可能な状態で、インデックス情報を表示する表示ステップと、
起動制御部が、前記タッチ操作を検出し、前記第１表示部の表示を視認可能な状態にする操作が実行された場合に、前記第２表示部の前記タッチ操作がされたタッチ操作領域に応じた画面を前記主画面に表示させるように前記第１表示部の表示を起動させる起動制御ステップと、
を含む制御方法。
【請求項１３】
主画面を表示する第１表示部と、前記第１表示部の表示が視認不可能な状態において、視認可能、且つ表示可能な第２表示部、及び前記第２表示部に対する操作媒体によるタッチ操作を検出する検出部を有するタッチスクリーンと、を備える情報処理装置のコンピュータに、
前記第１表示部の表示が視認不可能な状態で、前記第２表示部にインデックス情報を表示させる表示ステップと、
前記タッチ操作を検出し、前記第１表示部の表示を視認可能な状態にする操作が実行された場合に、前記第２表示部の前記タッチ操作がされたタッチ操作領域に応じた画面を前記主画面に表示させるように前記第１表示部の表示を起動させる起動制御ステップと、
を実行させるためのプログラム。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】